(57)【要約】【課題】スライドシャフトを貫通させたシャフトブロックの頂面を上部クリップの先端部分で当接することによりシャフトブロックをスライドシャフトに沿って上下にスライドさせることができ、プローブを垂直方向に上下動させることができるクリップ型コネクタを提供する。【解決手段】クリップ型コネクタは、被検査対象体を載置する下部ブロックを先端に設けた下部クリップと、先端部分が下方に付勢されながら回動自在となるように前記下部クリップに軸着された上部クリップと、前記下部クリップに設けられた前記下部ブロックに連設したシャフトブロックに垂直に立設されるスライドシャフトと、前記スライドシャフトを貫通させ、該スライドシャフトに沿って上下にスライドするシャフトブロックと、前記シャフトブロックと連設し、前記シャフトブロックの頂面を前記上部クリップにおける先端部分で当接して前記スライドシャフトに沿って上下にスライドする上部ブロックと、前記上部ブロックから下向きに突設されるプローブと、を備えたことである。【選択図】  図１
2009300211.tif 000002
【特許請求の範囲】
【請求項１】
被検査対象体を載置する下部ブロックを先端に設けた下部クリップと、
先端部分が下方に付勢されながら回動自在となるように前記下部クリップに軸着された上部クリップと、
前記下部クリップに設けられ、前記下部ブロックに連設したシャフトブロックに垂直に立設されているスライドシャフトと、
前記スライドシャフトを貫通させ、該スライドシャフトに沿って上下にスライドするシャフトブロックと、
前記シャフトブロックと連設し、前記シャフトブロックの頂面を前記上部クリップにおける先端部分で当接して前記スライドシャフトに沿って上下にスライドする上部ブロックと、
前記上部ブロックから下向きに突設されるプローブと、
を備えたことを特徴とするクリップ型コネクタ
【請求項２】
前記スライドシャフトを貫通させたシャフトブロックは、前記スライドシャフトにスプリングを介在させ、前記シャフトブロックを常時上方向にスライドするように付勢することを特徴とする請求項１に記載のクリップ型コネクタ。
【発明の詳細な説明】
【技術分野】
【０００１】
本発明は、クリップ型コネクタに関し、詳しくはクリップ操作に対してプローブを常に垂直方向に動かすことができるクリップ型コネクタに関する。
【背景技術】
【０００２】
従来のクリップ型コネクタ１０１は、図５及び図６に示すように、下部クリップ１１１と上部クリップ１１２とのクリップ操作によって、下部ブロック１１５に載置した回路基板等の端部端子と上部ブロック１１６に設けたプローブ１１９とを当接又は離脱させるものであって、回路基板等の端部端子にプローブ１１９を当接させて、この端部端子と検査用のテスター端子を回路接続するものである。ここで、１２０はテスターへの接続用基板である。
【０００３】
この構造を詳細に説明すると、下部クリップ１１１にはそのブラケット部１１１ａにおいて上部クリップ１１２が軸１１３にて軸着されている。従って、上部クリップ１１２は軸１１３の回りに回動自在であって、上部クリップ１１２の先端部分は軸１１３の回りに上下に揺動自在である。又、上部クリップ１１２はスプリング１２１によって操作部分が上方に、つまり先端部分が下方に付勢されている。
【０００４】
下部クリップ１１１の先端側には、下部ブロック１１５がねじ止め等の着脱可能な固着手段で装着されている。又、下部クリップ１１１における軸１１３より先端側には、下部ブロック１１５の載置面に対して垂直方向にスライドシャフト１１７が数本立設している。そして、このスライドシャフト１１７には、これに沿って上下に自在にスライドするスライドブロック１１８が装着されている。
【０００５】
このスライドブロック１１８は、上部クリップ１１２の先端に形成された長穴１１２ａにピン１１４によってリンク結合されている。又、スライドブロック１１８の上面には上部ブロック１１６がねじ止め等の着脱可能な固着手段で装着されている。この上部ブロック１１６にはスライドシャフト１１７が貫通する貫通孔が形成されている。クリップを開放した状態では、スライドブロック１１８は下部クリップ１１１上にバネ力によって押圧された状態となる。
【０００６】
図６は、クリップをスプリングの付勢力に抗して操作した状態を示している。上部クリップ１１２に下方に操作すると、上部クリップ１１２の先端部分は軸１１３を中心に上方に揺動する。これによって、上部クリップ１１２の先端部分とリンク結合したスライドブロック１１８は、スライドシャフト１１７に沿って上方に平行移動する。つまり、スライドシャフト１１７に装着された上部ブロック１１６は、クリップ操作によって、上下に平行移動することになる。従って、上部ブロック１１６に装着したプローブ１１９は常に垂直な状態を保って移動し、下部ブロック１１５上の回路基板等の端部端子に対して垂直に当接及び離脱を行う。
【特許文献１】特開平１１−１８３５２１号公報
【発明の開示】
【発明が解決しようとする課題】
【０００７】
しかし、従来技術で説明したクリップ型コネクタにおいて、プローブを常に垂直方向に移動する構造となっているが、長穴１１２ａにピン１１４によってリンク結合され、ピン１１４が斜め方向にあけた長穴１１２ａにガイドされて移動することにより上部ブロック１１６が上下に平行移動するもので、常にピン１１４が長穴１１２ａにガイドされるため、動きが鈍くなり、上部クリップ１１２の動きに追随できないという問題がある。
従って、プローブを鉛直方向に移動させる構造のクリップにおいて、クリップを鉛直方向に円滑に動かすための構造に解決しなければならない課題を有する。
【課題を解決するための手段】
【０００８】
上記課題を解決するために、本願発明のクリップ型コネクタは、次に示す構成にしたことである。
【０００９】
（１）  被検査対象体を載置する下部ブロックを先端に設けた下部クリップと、
先端部分が下方に付勢されながら回動自在となるように前記下部クリップに軸着された上部クリップと、
前記下部クリップに設けられ、前記下部ブロックに連設したシャフトブロックに垂直に立設されるスライドシャフトと、
前記スライドシャフトを貫通させ、該スライドシャフトに沿って上下にスライドするシャフトブロックと、
前記シャフトブロックと連設し、前記シャフトブロックの頂面を前記上部クリップにおける先端部分で当接して前記スライドシャフトに沿って上下にスライドする上部ブロックと、
前記上部ブロックから下向きに突設されるプローブと、
を備えたことを特徴とするクリップ型コネクタ
（２）  前記スライドシャフトを貫通させたシャフトブロックは、前記スライドシャフトにスプリングを介在させ、前記シャフトブロックを常時上方向にスライドするように付勢することを特徴とする（１）に載のクリップ型コネクタ。
【発明の効果】
【００１０】
本提案によれば、スライドシャフトを貫通させたシャフトブロックの頂面を上部クリップの先端部分で当接することによりシャフトブロックをスライドシャフトに沿って上下にスライドさせることができ、プローブを垂直方向に上下動させることができる。
【発明を実施するための最良の形態】
【００１１】
次に、本願発明に係るクリップ型コネクタの実施形態について、図面を参照して説明する。
【００１２】
本願発明のクリップ型コネクタは、図１及び図２に示すように、被検査対象体１１を下部ブロック３２に搭載し、その上部からプローブ４１を搭載した上部ブロック３９に連設しているシャフトブロック３１を下方向に押し下げて、プローブ４１の先端を被検査対象体１１の端部に当接させるものである。
以下、その構成を詳細に説明する。
平板部材を平行に立設した下部クリップ２１に上部クリップ１２が軸にて軸着されている。
【００１３】
上部クリップ１２は、細長い板部材で形成され下端部の上側が操作部１３で、その下側にクリップスプリング１５が係合するスプリング係合部１４を備え、上端寄りに軸１６を係合する軸係合部１７を備え、上端部は下方向に延出したフック状に形成した当接部位であるフック部１８を備えた構成になっている。
この上部クリップ１２は、クリップスプリング１５によって操作部１３部分が上方に、即ち、先端部分のフック部１８が下方向に動くように付勢されており、このフック部１８がスライドブロック３５の頂面に当接して常時スライドブロック３５を下方方向に押し下げるように付勢している。
【００１４】
下部クリップ２１は、平板部材を平行に配設し、その平行に配設した間であって、後部寄りにクリップスプリング１５を係合するスプリング係合台座２２を備え、略中間位置に平行に配設した板部材を連結するための連結部２３を備え、先端上部位置に上部クリップ１２を軸着するための軸１６を係合する軸係合部１７を備えた構成になっている。そして、下部クリップ２１の底面はスライドシャフト３３を垂直方向に支持するシャフトブロック３１に連設し、更に、このシャフトブロック３１は被検査対象体１１を載置する下部ブロック３２と連設されている。
【００１５】
シャフトブロック３１は、直方体形状に形成され、その頂面に平行して２本のスライドシャフト３３を穿設するためのシャフト係合部３４を設け、一方のスライドシャフト３３にはスライドブロック３５を上方向に付勢するためのシャフトスプリング３６を備え、他方のスライドシャフト３３にはスライドブロック３５の下げる方向を一定に保持するガイド部材３７を備えた構造となっている。
【００１６】
シャフトブロック３１の横面に連設されている下部ブロック３２は、横側から被検査対象体１１を出し入れできるように横側方向を切り欠き、その切り欠いた中央部を切り抜いた構成にして、例えば、下部方向からの光を受光できる構造となっている。
【００１７】
スライドブロック３５は、直方体形状に形成され、上述したように、２本のスライドシャフト３３を垂直方向になるように貫通させた構造となっており、その貫通させたスライドシャフト３３には磨耗防止用のガイド管３８を備えた構造となっている。この２本のスライドシャフト３３の間の上面に上部クリップ１２のフック部１８が当接して下方向に付勢する。
そして、このスライドブロック３５の横面にやはり直方体形状の上部ブロック３９が連設されている。
【００１８】
スライドブロック３５の横面に連設されている上部ブロック３９は、直方体形状に形成された上部面から下部面にまで貫通させたプローブ４１を装着しており、このプローブ４１は、１列１０本のプローブを２列平行に装着し、その２列平行に配置した間に１本のプローブを装着した構成になっている。
この装着したプローブ４１の下端部の先端部が被検査対象体１１の上部面に当接する構成であり、プローブ４１の後端部が、図示しない、ワイヤ等に接続する構成となっている。
このような構成からなる上部ブロック３９は、スライドブロック３５の動きに連動して上下動する。
【００１９】
このような構成からなるクリップ型コネクタについて、図３及び図４を参照して動作状態を説明する。
【００２０】
図４は、クリップをクリップスプリング１５の付勢力に抗して操作部１３を押して操作した状態を示している。
上部クリップ１２をクリップスプリング１５の付勢力に抗して操作部１３を下方に操作すると、上部クリップ１２の先端部のフック部１８が軸１６を中心に上方に揺動する。これによって、フック部１８でスライドブロック３５の頂面を抑えていた力が解除され、シャフトスプリング３６の付勢力によってスライドブロック３５がスライドシャフト３３にガイドされて鉛直上方向に動く。スライドブロック３５が上方向に平行移動することに伴って上部ブロック３９も同じく上方向に平行移動する。上部ブロック３９が上方向に平行移動することに伴い、上部ブロック３９に装着されているプローブ４１も被検査対象体１１に当接している状態から上方向に移動することにより、被検査対象体１１に当接している状態が外れて離脱し、プローブ４１自体が上方向に平行移動する。この状態で、被検査対象体１１を下部ブロック３２から取り外して、新たな被検査対象体を装着することができる。
【００２１】
そして、図３に示すように、上部クリップ１２の下方への操作部１３の操作を解除すると、クリップスプリング１５の復帰力が復帰し、上部クリップ１２の先端部分のフック部１８が軸１６を中心に下方に揺動する。すると、フック部１８に押されてスライドブロック３５が下方にシャフトスプリング３６を抗して、スライドシャフト３３にガイドされて鉛直下方向に平行移動する。スライドブロック３５が鉛直下方向に平行移動することに伴って上部ブロック３９も同じく鉛直下方向に平行移動する。上部ブロック３９が下方向に平行移動することに伴い、上部ブロック３９に装着されているプローブ４１も下部ブロック３２に載置されている被検査対象体１１方向に近づき当接する。
【産業上の利用可能性】
【００２２】
スライドシャフトを貫通させたシャフトブロックの頂面を上部クリップの先端部分で当接することによりシャフトブロックをスライドシャフトに沿って上下にスライドさせることができ、プローブを垂直方向に上下動させることができるクリップ型コネクタを提供する。
【図面の簡単な説明】
【００２３】
【図１】本願発明のクリップ型コネクタを前方方向からみた斜視図である。
【図２】同、後方方向からみた斜視図である。
【図３】同、プローブが被検査体に当接している状態を示す平面図である。
【図４】同、上部クリップを押してプローブが被検査体から離脱している状態を示す平面図である。
【図５】従来技術におけるクリップ型コネクタの説明図である。
【図６】従来技術におけるクリップ型コネクタの説明図である。
【符号の説明】
【００２４】
１１      被検査対象体
１２      上部クリップ
１３      操作部
１４      スプリング係合部
１５      クリップスプリング
１６      軸
１７      軸係合部
２１      下部クリップ
２２      スプリング係合台座
２３      連結部
３１      シャフトブロック
３２      下部ブロック
３３      スライドシャフト
３４      シャフト係合部
３５      スライド係合部
３６      シャフトスプリング
３７      ガイド部材
３８      ガイド管
３９      上部ブロック
４１      プローブ
【図１】
2009300211.tif 000003
【図２】
2009300211.tif 000004
【図３】
2009300211.tif 000005
【図４】
2009300211.tif 000006
【図５】
2009300211.tif 000007
【図６】
2009300211.tif 000008